(57)【要約】【課題】ウェットガスからドライガスに水分を効率よく移動させることができる枠体及び加湿器を提供する。【解決手段】加湿器は、水蒸気透過膜の積層体１１の周りを囲んで保持する枠体１８が内部にセットされるハウジングを備える。積層体１１は、直方体状に形成されており、ウェットガスを一つの面から流入させて同面の反対側の面から流出させる複数の第１ガス通路１４を有するとともに、ドライガスをそれらの面とは別の面から流入させて同別の面と反対側の面から流出させる複数の第２ガス通路１５を有する。枠体１８は、積層体１１における第１ガス通路１４の入口に連通するウェットガス流入口２５と第１ガス通路１４の出口に連通するウェットガス流出口２６とを有するとともに、積層体１１における第２ガス通路１５の入口に連通するドライガス流入口２７と第２ガス通路１５の出口に連通するドライガス流出口２８とを有する。【選択図】図５
2020170647.tif 000002
【特許請求の範囲】
【請求項１】
内部を通過するウェットガスから水蒸気透過膜の積層体に水分を取り込む一方で、同じく内部を通過するドライガスに対し前記積層体に取り込んだ水分を付与する加湿器に適用され、前記積層体を囲んだ状態で前記加湿器内にセットされることにより、同加湿器を通過する前記ウェットガス及び前記ドライガスに対し前記積層体が触れるようにする枠体において、
直方体状に形成されている前記積層体の周りを囲んで保持するベース枠を備えており、
前記積層体は、前記ウェットガスを一つの面から流入させて同面の反対側の面から流出させる複数の第１ガス通路を有するとともに、前記ドライガスをそれらの面とは別の面から流入させて同別の面と反対側の面から流出させる複数の第２ガス通路を有するものであり、
前記ベース枠は、前記積層体における前記第１ガス通路の入口に連通するウェットガス流入口と前記第１ガス通路の出口に連通するウェットガス流出口とを有するとともに、前記積層体における前記第２ガス通路の入口に連通するドライガス流入口と前記第２ガス通路の出口に連通するドライガス流出口とを有していることを特徴とする枠体。
【請求項２】
水蒸気透過膜の積層体の周りを囲んで保持する枠体が内部にセットされるハウジングを備えており、そのハウジングの内部を通過するウェットガスを前記枠体によって保持されている前記積層体に触れさせて前記ウェットガス中の同水分を取り込む一方、前記ハウジングの内部を通過するドライガスを前記枠体によって保持されている前記積層体に触れさせて同積層体に取り込んだ前記水分を前記ドライガスに対し付与する加湿器において、
前記積層体は、直方体状に形成されており、前記ウェットガスを一つの面から流入させて同面の反対側の面から流出させる複数の第１ガス通路を有するとともに、前記ドライガスをそれらの面とは別の面から流入させて同別の面と反対側の面から流出させる複数の第２ガス通路を有するものであり、
前記枠体は、前記積層体における前記第１ガス通路の入口に連通するウェットガス流入口と前記第１ガス通路の出口に連通するウェットガス流出口とを有するとともに、前記積層体における前記第２ガス通路の入口に連通するドライガス流入口と前記第２ガス通路の出口に連通するドライガス流出口とを有していることを特徴とする加湿器。
【請求項３】
前記ハウジングには、その内部に前記枠体がセットされたとき、前記ウェットガス流入口を取り囲むように前記枠体に当接して同ウェットガス流入口と前記ハウジングにおける前記ウェットガスの入口とを連通させる入口側壁部、及び、前記ウェットガス流出口を取り囲むように前記枠体に当接して同ウェットガス流出口と前記ハウジングにおける前記ウェットガスの出口とを連通させる出口側壁部が設けられており、
前記ハウジングは、その内部に前記枠体がセットされたとき、前記ドライガス流入口と前記ハウジングにおける前記ドライガスの入口とを繋ぐとともに前記ドライガス流出口と前記ハウジングにおける前記ドライガスの出口とを繋ぐ前記ドライガスの流路が、前記入口側壁部及び前記出口側壁部によって前記ハウジング内の前記ウェットガスの流路に対し区画されて形成されるものである請求項２に記載の加湿器。
【請求項４】
前記ハウジングには、その内部に前記枠体がセットされたとき、前記ドライガス流入口を取り囲むように前記枠体に当接して同ドライガス流入口と前記ハウジングにおける前記ドライガスの入口とを連通させる入口側壁部、及び、前記ドライガス流出口を取り囲むように前記枠体に当接して同ドライガス流出口と前記ハウジングにおける前記ドライガスの出口とを連通させる出口側壁部が設けられており、
前記ハウジングは、その内部に前記枠体がセットされたとき、前記ウェットガス流入口と前記ハウジングにおける前記ウェットガスの入口とを繋ぐとともに前記ウェットガス流出口と前記ハウジングにおける前記ウェットガスの出口とを繋ぐ前記ウェットガスの流路が、前記入口側壁部及び前記出口側壁部によって前記ハウジング内の前記ドライガスの流路に対し区画されて形成されるものである請求項２に記載の加湿器。
【発明の詳細な説明】
【技術分野】
【０００１】
本発明は、枠体及び加湿器に関する。
【背景技術】
【０００２】
自動車等に搭載される燃料電池においては、水素等の燃料ガスと大気等の酸化ガスとの供給を受け、それら燃料ガスと酸化ガスとの反応に基づく発電が行われる一方、その反応に伴って水が生成される。なお、こうして生成された水は、燃料電池から流出する排気に含まれるようになる。また、燃料電池は、湿潤状態のもとで発電効率が高くなる性質を有している。このため、特許文献１に示される加湿器を用いて、燃料電池から流出した排気（ウェットガス）に含まれる水分を取り出して同燃料電池に流入する燃料ガスや酸化ガスといったガス（ドライガス）に上記水分を付与することにより、燃料電池内を湿潤状態とすることが考えられている。
【０００３】
こうした加湿器においては、シート状の水蒸気透過膜を折り畳むことによって形成されている積層体の周りを囲んで保持する枠体がハウジング内にセットされている。なお、水蒸気透過膜は、気体を透過させることなく、且つ、水分（水蒸気）を透過させることが可能な性質を有している。加湿器は、その水蒸気透過膜によって形成されている上記積層体を利用して、ハウジング内を通過する上記ウェットガスと上記ドライガスの間での水分の受け渡しを行う。詳しくは、ハウジングの内部を通過するウェットガスを上記枠体によって保持されている積層体に触れさせてウェットガス中の同水分を取り込む一方、ハウジングの内部を通過するドライガスを上記枠体によって保持されている積層体に触れさせて同積層体に取り込んだ上記水分をドライガスに対し付与する。
【０００４】
上記枠体は、ケース状に形成されており、内部に積層体を収容することが可能となっている。そして、ケース状に形成された上記枠体の内部は、上記積層体によってウェットガスを通過させるウェット空間と、ドライガスを通過させるドライ空間とに区画されている。この場合、枠体内のウェット空間に流入したウェットガスは、同ウェット空間における積層体と枠体の内壁面との間を通過した後、そのウェット空間から枠体外に流出する。一方、枠体内のドライ空間に流入したドライガスは、同ドライ空間における積層体と枠体の内壁面との間を通過した後、そのドライ空間から枠体外に流出する。
【先行技術文献】
【特許文献】
【０００５】
【特許文献１】特許第４４５４５８０号公報
【発明の概要】
【発明が解決しようとする課題】
【０００６】
ところで、特許文献１のように、ケース状の枠体内を積層体によってウェット空間とドライ空間とに区画する場合、積層体におけるウェット空間に面する部分のみでウェットガスと積層体とが触れるとともに、積層体におけるドライ空間に面する部分のみでドライガスと積層体とが触れることになる。このため、ウェットガス及びドライガスと積層体との接触面積を大きくすることによって、ウェットガスからドライガスに効率よく水分を移動させることには限界があり、そうした効率のよい水分の移動に関して更なる改善の余地があった。
【０００７】
本発明の目的は、ウェットガスからドライガスに水分を効率よく移動させることができる枠体及び加湿器を提供することにある。
【課題を解決するための手段】
【０００８】
以下、上記課題を解決するための手段及びその作用効果について記載する。
上記課題を解決する枠体は、内部を通過するウェットガスから水蒸気透過膜の積層体に水分を取り込む一方で、同じく内部を通過するドライガスに対し上記積層体に取り込んだ水分を付与する加湿器に適用される。上記枠体は、直方体状に形成されている上記積層体の周りを囲んで保持するベース枠を備える。上記積層体は、ウェットガスを一つの面から流入させて同面の反対側の面から流出させる複数の第１ガス通路を有するとともに、ドライガスをそれらの面とは別の面から流入させて同別の面と反対側の面から流出させる複数の第２ガス通路を有するものとされる。そして、上記ベース枠は、積層体における第１ガス通路の入口に連通するウェットガス流入口と第１ガス通路の出口に連通するウェットガス流出口とを有するとともに、積層体における第２ガス通路の入口に連通するドライガス流入口と第２ガス通路の出口に連通するドライガス流出口とを有しているものとされる。
【０００９】
上記構成によれば、加湿器の内部に、積層体を保持したベース枠を有する枠体がセットされた状態のもと、加湿器の内部をウェットガス及びドライガスが通過する。このとき、ウェットガスがベース枠のウェットガス流入口及びウェットガス流出口を介して上記積層体における複数の第１ガス通路内をそれぞれ流通する一方、ドライガスがベース枠のドライガス流入口及びドライガス流出口を介して上記積層体における複数の第２ガス通路内をそれぞれ流通する。このため、ウェットガス及びドライガスと積層体との接触面積を効果的に大きくすることができるようになり、ウェットガスからドライガスに水分が効率よく移動される。
【００１０】
上記課題を解決する加湿器は、水蒸気透過膜の積層体の周りを囲んで保持する枠体が内部にセットされるハウジングを備えており、そのハウジングの内部を通過するウェットガスから水蒸気透過膜の積層体に水分を取り込む一方で、同じく内部を通過するドライガスに対し上記積層体に取り込んだ水分を付与する。上記積層体は、直方体状に形成されており、ウェットガスを一つの面から流入させて同面の反対側の面から流出させる複数の第１ガス通路を有するとともに、ドライガスをそれらの面とは別の面から流入させて同別の面と反対側の面から流出させる複数の第２ガス通路を有するものとされる。上記枠体は、積層体における第１ガス通路の入口に連通するウェットガス流入口と第１ガス通路の出口に連通するウェットガス流出口とを有するとともに、積層体における第２ガス通路の入口に連通するドライガス流入口と第２ガス通路の出口に連通するドライガス流出口とを有するものとされる。
【００１１】
上記構成によれば、加湿器におけるハウジングの内部に、積層体を保持した枠体がセットされた状態のもと、ハウジングの内部をウェットガス及びドライガスが通過する。このとき、ウェットガスが枠体のウェットガス流入口及びウェットガス流出口を介して上記積層体における複数の第１ガス通路内をそれぞれ流通する一方、ドライガスが枠体のドライガス流入口及びドライガス流出口を介して上記積層体における複数の第２ガス通路内をそれぞれ流通する。このため、ウェットガス及びドライガスと積層体との接触面積を効果的に大きくすることができるようになり、ウェットガスからドライガスに水分が効率よく移動される。
【図面の簡単な説明】
【００１２】
【図１】燃料電池に対するガスの給排構造を示す略図。
【図２】加湿器の内部構造を示す断面図。
【図３】水蒸気透過膜の積層体を示す側面図。
【図４】水蒸気透過膜の積層体における筒部を示す正面図。
【図５】同積層体を保持する枠体を示す斜視図。
【発明を実施するための形態】
【００１３】
以下、枠体及び加湿器の一実施形態について、図１〜図５を参照して説明する。
図１に示す燃料電池１は、セパレータによって隔てられた複数層の膜電極接合体を備えており、燃料ガス（この例では水素）及び酸化ガス（この例では大気）の供給を受け、それら水素と大気中の酸素との反応に基づいて発電を行う。
【００１４】
燃料電池１のアノード側には、水素を供給する一方で同燃料電池１のアノード側から排気を流出させる燃料側通路２が接続されている。この燃料側通路２の上流端は、水素を溜めるための水素タンク４に繋がっている。そして、燃料電池１のアノード側、より詳しくは膜電極接合体のアノード電極層とそれに隣合うセパレータとの間に、燃料側通路２における燃料電池１よりも上流側（供給側）の部分を介して、水素タンク４からの水素が供給される。
【００１５】
また、燃料電池１のカソード側には、大気を供給する一方で同燃料電池１のカソード側から排気を流出させる大気側通路３が接続されている。この大気側通路３の上流端は大気に開放されている。そして、燃料電池１のカソード側、より詳しくは膜電極接合体のカソード電極層とそれに隣合うセパレータとの間に、大気側通路３における燃料電池１よりも上流側（供給側）の部分を介して、大気が供給される。
【００１６】
燃料電池１においては、アノード側に供給された水素とカソード側に供給された大気中の酸素との反応に基づく発電が行われる一方、その反応に伴って水が生成される。こうして生成された水は、燃料電池１のアノード側から燃料側通路２における燃料電池１よりも下流側（排出側）の部分に流出する排気に含まれるとともに、燃料電池１のカソード側から大気側通路３における燃料電池１よりも下流側（排出側）の部分に流出する排気に含まれるようになる。
【００１７】
ところで、燃料電池１においては、その内部の膜電極接合体を湿潤状態とすることによって発電効率が高くなる性質を有している。このため、燃料側通路２と大気側通路３との少なくとも一方の通路に、燃料電池１から流出した排気（ウェットガス）に含まれる水分を取り出して同燃料電池１に流入する燃料ガスや酸化ガスといったガス（ドライガス）に上記水分を付与する加湿器を設けることが考えられる。ちなみに、この実施形態では、大気側通路３において燃料電池１よりも上流側（供給側）の部分と下流側（排出側）の部分とに亘るように加湿器５が設けられている。
【００１８】
燃料電池１から大気側通路３における同燃料電池１よりも下流側の部分に流出した排気（大気）は、燃料電池１内で生成された水を水蒸気の状態で含むウェットガスとなっている。そして、上記加湿器５は、上記排気中に含まれている水分（水蒸気）を取り出し、大気側通路３における燃料電池１よりも上流側の部分を流れる乾燥した大気（ドライガス）に対し与えることにより、その大気をウェットガスとする。そして、そのウェットガスとなった大気が燃料電池１のカソード側に供給されることにより、燃料電池１内が湿潤状態とされるようになる。
【００１９】
一方、燃料側通路２において、燃料電池１よりも下流側（排出側）の部分は気液分離器７に繋がっている。この気液分離器７は、燃料電池１から流出した排気（燃料電池１で用いられなかった水素）に含まれる水を同排気から分離する。そして、気液分離器７で水と分離した排気（水素）は、水素通路８を介して燃料側通路２における燃料電池１の上流側の部分に再循環される。
【００２０】
次に、上記加湿器５について詳しく説明する。
図２に示すように、加湿器５は、本体１９及び蓋体２０からなるハウジング２４と、そのハウジング２４内にセットされている枠体１８と、その枠体１８によって保持されている水蒸気透過膜の積層体１１と、を備えている。なお、積層体１１を形成する水蒸気透過膜は、気体を透過させることなく、且つ、水分（水蒸気）を透過させることが可能な性質を有している。そして、加湿器５は、ハウジング２４の内部を通過するウェットガスを積層体１１に触れさせてウェットガス中の同水分を取り込む一方、同じくハウジング２４の内部を通過するドライガスを積層体１１に触れさせて同積層体１１に取り込んだ上記水分をドライガスに対し付与する。
【００２１】
図３及び図４に示すように、積層体１１は、シート状の水蒸気透過膜によって形成されて複数段となるように積層されている扁平筒状の筒部１２を備えており、直方体状に形成されている。更に、積層体１１は、複数段の筒部１２のうちの隣接する筒部１２における一方の開口部の外周面同士をそれら外周面との一体形成によって接続する接続部１３、及び、隣接する筒部１２における他方の開口部の外周面同士を離間しないよう当接させている当接部９も備えている。なお、当接部９に関しては、隣接する筒部１２における他方の開口部の外周面同士を接着することによって実現することが考えられる。
【００２２】
積層体１１における各筒部１２の内側には、ウェットガスを流すための第１ガス通路１４が形成されている。また、複数段の上記筒部１２の外周面同士の間には、ドライガスを流すための第２ガス通路１５が形成されている。従って、積層体１１においては、第１ガス通路１４と第２ガス通路１５とが交差する方向に延びるようになる。更に、直方体状の上記積層体１１は、ウェットガスを一つの面から流入させて同面の反対側の面から流出させる複数の第１ガス通路１４を有するとともに、ドライガスをそれらの面とは別の面から流入させて同別の面と反対側の面から流出させる複数の第２ガス通路１５を有するものとなる。
【００２３】
図５に示すように、積層体１１は、上記枠体１８によって取り囲まれており、且つ、その枠体１８内に保持されている。枠体１８は、積層体１１における図３の上端面と接する四角形の上板１８ａ、積層体１１における図３の下端面と接する四角形の下板１８ｂ、それら上板１８ａと下板１８ｂの四隅同士を繋ぐ連結柱１８ｃを備えている。これら上板１８ａ、下板１８ｂ、及び連結柱１８ｃによって枠体１８のベース枠が構成されている。
【００２４】
枠体１８において、積層体１１における第１ガス通路１４の入口を挟むように隣合う連結柱１８ｃの間の部分には、第１ガス通路１４の入口と連通するウェットガス流入口２５が形成されている。また、枠体１８において、積層体１１における第１ガス通路１４の出口を挟むように隣合う連結柱１８ｃの間の部分には、第１ガス通路１４の出口と連通するウェットガス流出口２６が形成されている。
【００２５】
一方、枠体１８において、第２ガス通路１５の入口を挟むように隣合う連結柱１８ｃの間の部分には、第２ガス通路１５の入口と連通するドライガス流入口２７が形成されている。また、枠体１８において、第２ガス通路１５の出口を挟むように隣合う連結柱１８ｃの間の部分には、第２ガス通路１５の出口と連通するドライガス流出口２８が形成されている。
【００２６】
図２に示すように、積層体１１を保持した枠体１８は、加湿器５のハウジング２４内にセットされる。このハウジング２４の本体１９には、図中の上方に向けて開口する開口部が形成されている。そして、本体１９内に上記枠体１８を収容した状態のもと、同本体１９の開口部にハウジング２４の蓋体２０を取り付けて同開口部を閉塞することにより、上記枠体１８がハウジング２４内にセットされる。
【００２７】
ハウジング２４の蓋体２０には、同ハウジング２４内にウェットガスを流入させるための入口２９が形成されている。この入口２９は、大気側通路３（図１）における燃料電池１よりも下流側の部分と接続されている。更に、蓋体２０には、ハウジング２４の内部に枠体１８がセットされたとき、その枠体１８のウェットガス流入口２５を取り囲むように同枠体１８に当接することにより、上記ウェットガス流入口２５と上記入口２９とを連通させる入口側壁部３０が設けられている。
【００２８】
また、ハウジング２４の本体１９には、同ハウジング２４内からウエットガスを流出させるための出口３３が形成されている。この出口３３は大気に開放されている。更に、本体１９には、ハウジング２４の内部に枠体１８がセットされたとき、その枠体１８のウェットガス流出口２６を取り囲むように同枠体１８に当接することにより、上記ウェットガス流出口２６と上記出口３３とを連通させる出口側壁部３４が設けられている。
【００２９】
従って、ハウジング２４内においては、入口側壁部３０及び出口側壁部３４により、ハウジング２４の入口２９と枠体１８のウェットガス流入口２５とを繋ぐとともに枠体１８のウェットガス流出口２６とハウジング２４の出口３３とを繋ぐウェットガスの流路が区画形成されている。
【００３０】
一方、ハウジング２４の本体１９には、同ハウジング２４内にドライガスを流入させるための入口３５と、同ハウジング２４内からドライガスを流出させるための出口３６と、が形成されている。上記入口３５は大気と連通しており、上記出口３６は大気側通路３（図１）における燃料電池１よりも上流側の部分と接続されている。
【００３１】
そして、ハウジング２４内においては、枠体１８がセットされたとき、入口側壁部３０及び出口側壁部３４により、ハウジング２４の入口３５と枠体１８のドライガス流入口２７とを繋ぐとともに枠体１８のドライガス流出口２８とハウジング２４の出口３６とを繋ぐドライガスの流路が、上記ウエットガスの流路に対し区画されて形成される。
【００３２】
次に、積層体１１を保持する枠体１８、及び、その枠体１８がハウジング２４にセットされた加湿器５の作用について説明する。
加湿器５においては、積層体１１を保持した枠体１８がハウジング２４の内部にセットされた状態のもと、ハウジング２４の内部をウェットガス及びドライガスが通過する。このとき、ウェットガスが枠体１８のウェットガス流入口２５及びウェットガス流出口２６を介して上記積層体１１における複数の第１ガス通路１４（図５）内をそれぞれ流通する一方、ドライガスが枠体１８のドライガス流入口２７及びドライガス流出口２８を介して上記積層体１１における複数の第２ガス通路１５（図５）内をそれぞれ流通する。このため、ウェットガス及びドライガスと積層体１１との接触面積を効果的に大きくすることができるようになり、ウェットガスからドライガスに効率よく水分が移動される。
【００３３】
以上詳述した本実施形態によれば、以下に示す効果が得られるようになる。
（１）加湿器５をウェットガス及びドライガスが通過するとき、その加湿器５のハウジング２４内にセットされた枠体１８に保持されている水蒸気透過膜の積層体１１を利用して、ウェットガスからドライガスに水分を効率よく移動させることができる。
【００３４】
（２）加湿器５におけるハウジング２４の内部に、積層体１１を保持した枠体１８をセットしたとき、同ハウジング２４内におけるウェットガスの流路とドライガスの流路とが、入口側壁部３０及び出口側壁部３４によって的確に区画されるようになる。
【００３５】
なお、上記実施形態は、例えば以下のように変更することもできる。
・加湿器５のハウジング２４において、ウェットガスの入口２９と出口３３との位置関係を逆にしたり、ドライガスの入口３５と出口３６との位置関係を逆にしたりしてもよい。
【００３６】
・積層体１１における第１ガス通路１４と第２ガス通路１５との位置関係を逆にしてもよい。すなわち、積層体１１における各筒部１２の内部に第２ガス通路１５を形成する一方、隣合う筒部１２の外周面同士の間に第１ガス通路１４を形成するようにしてもよい。
【００３７】
この場合、加湿器５のハウジング２４内に対する枠体１８のセットの態様を、上述した第１ガス通路１４と第２ガス通路１５との位置関係の変更に対応したものに変えるようにする。
【００３８】
また、そのように加湿器５のハウジング２４内に対する枠体１８のセットの態様を変える代わりに、ハウジング２４におけるウェットガスの入口２９とドライガスの入口３５との位置関係を逆にするとともに、ウェットガスの出口３３とドライガスの出口３６との位置関係を逆にするようにしてもよい。
【００３９】
この場合、ハウジング２４における蓋体２０の入口側壁部３０が、枠体１８のドライガス流入口２７を取り囲むように同枠体１８に当接し、それによって上記ドライガス流入口２７と上記入口３５とが連通するようになる。また、ハウジング２４における本体１９の出口側壁部３４が、枠体１８のドライガス流出口２８を取り囲むように同枠体１８に当接し、それによって上記ドライガス流出口２８と上記出口３６とが連通するようになる。
【００４０】
その結果、ハウジング２４内においては、入口側壁部３０及び出口側壁部３４により、ハウジング２４の入口３５と枠体１８のドライガス流入口２７とを繋ぐとともに枠体１８のドライガス流出口２８とハウジング２４の出口３６とを繋ぐドライガスの流路が区画形成される。
【００４１】
更に、枠体１８がセットされたとき、ハウジング２４内においては、入口側壁部３０及び出口側壁部３４により、ハウジング２４の入口２９と枠体１８のウェットガス流入口２５とを繋ぐとともに枠体１８のウェットガス流出口２６とハウジング２４の出口３３とを繋ぐウェットガスの流路が、上記ドライガスの流路に対し区画されて形成される。
【００４２】
従って、上記構成を採用した場合においても、加湿器５におけるハウジング２４の内部に、積層体１１を保持した枠体１８をセットしたとき、同ハウジング２４内におけるウェットガスの流路とドライガスの流路とが、入口側壁部３０及び出口側壁部３４によって的確に区画されるようになる。
【００４３】
・加湿器５を燃料側通路２に設けるようにしてもよい。この場合、燃料側通路２における燃料電池１よりも下流に流出する排気がウェットガスとなる一方、燃料側通路２における燃料電池１よりも上流側の部分から同燃料電池１に流入する水素がドライガスとなり、上記加湿器５によって上記ウェットガスから上記ドライガスへの水分の受け渡しが行われる。
【符号の説明】
【００４４】
１…燃料電池、２…燃料側通路、４…水素タンク、３…大気側通路、５…加湿器、７…気液分離器、８…水素通路、９…当接部、１１…積層体、１２…筒部、１３…接続部、１４…第１ガス通路、１５…第２ガス通路、１８…枠体、１８ａ…上板、１８ｂ…下板、１８ｃ…連結柱、１９…本体、２０…蓋体、２３…スリット、２４…ハウジング、２５…ウェットガス流入口、２６…ウェットガス流出口、２７…ドライガス流入口、２８…ドライガス流出口、２９…入口、３０…入口側壁部、３３…出口、３４…出口側壁部、３５…入口、３６…出口。
【図１】
2020170647.tif 000003
【図２】
2020170647.tif 000004
【図３】
2020170647.tif 000005
【図４】
2020170647.tif 000006
【図５】
2020170647.tif 000007